(57)【特許請求の範囲】
【請求項１】
表示部にアイコンを表示する表示制御装置であって、
前記表示部に、電子機器に保存されているファイルを示すファイル表示アイコン、および前記ファイルに対する処理の機能を示し、前記ファイル表示アイコンのドラッグアンドドロップにより前記ファイルに対して前記処理を実行する処理実行アイコンを表示するよう制御する表示制御部と、
前記ファイル表示アイコンが前記処理実行アイコンにドラッグアンドドロップされたか否かを判断する判断部と、
前記判断部により、前記ファイル表示アイコンが前記処理実行アイコンにドラッグアンドドロップされたと判断されれば、前記ファイルに対して前記処理実行アイコンに表示された前記処理の実行状況の情報を取得する実行状況取得部とを備え、
前記表示制御部は、前記実行状況取得部により取得された前記処理の実行状況を前記表示部に表示するよう制御し、
前記表示制御部は、前記実行状況取得部により前記処理の実行が開始した旨の情報を取得すれば、前記ファイル表示アイコンを、実行前の表示濃度よりも薄くして表示し、前記実行状況取得部により前記処理が終了した旨の情報を取得すれば、前記ファイル表示アイコンを、実行前の表示濃度と同じ表示濃度で表示するよう制御する、表示制御装置。
【請求項２】
表示部にアイコンを表示する表示制御装置であって、
前記表示部に、電子機器に保存されているファイルを示すファイル表示アイコン、および前記ファイルに対する処理の機能を示し、前記ファイル表示アイコンのドラッグアンドドロップにより前記ファイルに対して前記処理を実行する処理実行アイコンを表示するよう制御する表示制御部と、
前記ファイル表示アイコンが前記処理実行アイコンにドラッグアンドドロップされたか否かを判断する判断部と、
前記判断部により、前記ファイル表示アイコンが前記処理実行アイコンにドラッグアンドドロップされたと判断されれば、前記ファイルに対して前記処理実行アイコンに表示された前記処理の実行状況の情報を取得する実行状況取得部とを備え、
前記表示制御部は、前記実行状況取得部により取得された前記処理の実行状況を前記表示部に表示するよう制御し、
前記表示制御部は、前記実行状況取得部により前記処理の実行が開始した旨の情報を取得すれば、前記ファイル表示アイコンの表示を消去し、前記実行状況取得部により前記処理が終了した旨の情報を取得すれば、前記ファイル表示アイコンを再度表示するよう制御する、表示制御装置。
【請求項３】
表示部にアイコンを表示する表示制御装置であって、
前記表示部に、電子機器に保存されているファイルを示すファイル表示アイコン、および前記ファイルに対する処理の機能を示し、前記ファイル表示アイコンのドラッグアンドドロップにより前記ファイルに対して前記処理を実行する処理実行アイコンを表示するよう制御する表示制御部と、
前記ファイル表示アイコンが前記処理実行アイコンにドラッグアンドドロップされたか否かを判断する判断部と、
前記判断部により、前記ファイル表示アイコンが前記処理実行アイコンにドラッグアンドドロップされたと判断されれば、前記ファイルに対して前記処理実行アイコンに表示された前記処理の実行状況の情報を取得する実行状況取得部とを備え、
前記表示制御部は、前記実行状況取得部により取得された前記処理の実行状況を前記表示部に表示するよう制御し、
前記表示制御部は、前記判断部により、前記ファイル表示アイコンが前記処理実行アイコンにドラッグアンドドロップされたと判断されれば、前記処理実行アイコン上および元の位置の双方に前記ファイル表示アイコンを表示し、元の位置に表示された前記ファイル表示アイコン上に、前記実行状況取得部により取得された前記処理の実行状況を表示するよう制御する、表示制御装置。
【請求項４】
表示部にアイコンを表示する表示制御装置であって、
前記表示部に、電子機器に保存されているファイルを示すファイル表示アイコン、および前記ファイルに対する処理の機能を示し、前記ファイル表示アイコンのドラッグアンドドロップにより前記ファイルに対して前記処理を実行する処理実行アイコンを表示するよう制御する表示制御部と、
前記ファイル表示アイコンが前記処理実行アイコンにドラッグアンドドロップされたか否かを判断する判断部と、
前記判断部により、前記ファイル表示アイコンが前記処理実行アイコンにドラッグアンドドロップされたと判断されれば、前記ファイルに対して前記処理実行アイコンに表示された前記処理の実行状況の情報を取得する実行状況取得部とを備え、
前記表示制御部は、前記実行状況取得部により取得された前記処理の実行状況を前記表示部に表示するよう制御し、
前記表示制御部は、前記判断部により、前記ファイル表示アイコンが前記処理実行アイコンにドラッグアンドドロップされたと判断されれば、前記ファイル表示アイコンと前記処理実行アイコンとを同じ色合いで表示するよう制御する、表示制御装置。
【請求項５】
表示部にアイコンを表示する表示制御装置であって、
前記表示部に、電子機器に保存されているファイルを示すファイル表示アイコン、および前記ファイルに対する処理の機能を示し、前記ファイル表示アイコンのドラッグアンドドロップにより前記ファイルに対して前記処理を実行する処理実行アイコンを表示するよう制御する表示制御部と、
前記ファイル表示アイコンが前記処理実行アイコンにドラッグアンドドロップされたか否かを判断する判断部と、
前記判断部により、前記ファイル表示アイコンが前記処理実行アイコンにドラッグアンドドロップされたと判断されれば、前記ファイルに対して前記処理実行アイコンに表示された前記処理の実行状況の情報を取得する実行状況取得部とを備え、
前記表示制御部は、前記実行状況取得部により取得された前記処理の実行状況を前記表示部に表示するよう制御し、
前記表示制御部は、前記実行状況取得部により取得した現在処理を実行している前記ファイルに対応する前記ファイル表示アイコンを、前記処理実行アイコンに重ねて表示するよう制御する、表示制御装置。
【請求項６】
前記表示制御部は、前記実行状況取得部により前記処理の実行が開始した旨の情報を取得すれば、前記ファイル表示アイコンを、実行前の表示濃度よりも薄くして表示し、前記実行状況取得部により取得した前記処理の終了までの割合に応じて、前記ファイル表示アイコンを、実行前の表示濃度に近づけて表示するよう制御する、請求項１に記載の表示制御装置。
【請求項７】
前記表示制御部は、前記処理実行アイコン上にも、前記実行状況取得部により取得された前記処理の実行状況を表示するよう制御する、請求項３に記載の表示制御装置。
【請求項８】
前記表示制御部は、前記実行状況取得部により取得した前記処理実行アイコンにドラッグアンドドロップされた数、および前記処理の実行されていない数を前記処理実行アイコン上に表示するよう制御する、請求項１〜４のいずれか１項に記載の表示制御装置。
【請求項９】
前記表示制御部は、前記実行状況取得部により前記処理が全て終了したことを取得すれば、その旨を前記処理実行アイコン上に表示するよう制御する、請求項１〜４のいずれか１項に記載の表示制御装置。
【請求項１０】
前記表示制御部は、前記処理実行アイコンにカーソルを位置させた場合に、前記ファイル表示アイコンを、前記処理実行アイコンに重ねて表示するよう制御する、請求項５に記載の表示制御装置。
【請求項１１】
前記表示制御部は、前記処理にエラーが生じた場合、前記エラーに対する応答処理を選択させる画面を表示するよう制御する、請求項５に記載の表示制御装置。
【請求項１２】
前記処理実行アイコンは、ドラッグアンドドロップにより、印刷を実行するアイコンを含む、請求項５に記載の表示制御装置。
【発明の詳細な説明】
【技術分野】
【０００１】
この発明は、表示制御装置に関するものである。
【背景技術】
【０００２】
スマートフォンといった携帯端末装置の表示画面には、タップによりアプリケーションを立ち上げたり、ファイルやフォルダを開けたりするアイコンが表示されている。アイコンをタップすると、ウィンドウを開いて表示して、アプリケーションが立ち上がったり、ファイルやフォルダが開いたりする。
【０００３】
ここで、印刷対象のファイルに対して、印刷実行用のアイコンにドラッグアンドドロップすることにより印刷を実行する情報処理装置に関する技術が、特開２００９−９３２９８号公報（特許文献１）に開示されている。
【０００４】
特許文献１に開示の情報処理装置は、表示手段と、ドラッグアンドドロップ検出手段と、判定手段と、制御手段とを備えている。表示手段は、予め設定された印刷装置に対し、設定された印刷条件での印刷ジョブを出力する処理であることを示す印刷実行用アイコンを表示可能である。ドラッグアンドドロップ検出手段は、印刷対象のファイルがアイコンに対してドラッグアンドドロップされたことを検出する。判定手段は、ドラッグアンドドロップされたことが検出された場合には、アイコンで設定されている印刷装置が、ドラッグアンドドロップされた印刷対象のファイルを印刷する能力があるかどうかを判定する。制御手段は、判定手段により印刷能力があると判定された場合には、設定されている印刷装置へ印刷ジョブを出力し、印刷能力がないと判定された場合には、アイコンで設定されている印刷条件と同じ条件で、かつ印刷対象のファイルを印刷する能力のある印刷装置で印刷を行うための新たな印刷実行用アイコンを作成する。特許文献１に開示の情報処理装置は、上記した構成を備えることを特徴としている。
【先行技術文献】
【特許文献】
【０００５】
【特許文献１】特開２００９−９３２９８号公報
【発明の概要】
【発明が解決しようとする課題】
【０００６】
印刷実行用アイコンに印刷対象のファイルのアイコンをドラッグアンドドロップして、印刷を実行することができる情報処理装置がある。このような情報処理装置においては、印刷しようとするファイルに対応するアイコンが複数ある場合、ユーザーは、順次印刷実行用アイコンにドラッグアンドドロップすることとなる。
【０００７】
しかし、複数のファイルの印刷が完了するには、ある程度の時間を要する。ユーザーにおけるドラッグアンドドロップの行為自体は、短時間で完了するため、ユーザーは、ドラッグアンドドロップを行った後、印刷を要求したファイルの印刷状況が把握できないこととなる。すなわち、ユーザーは、複数の印刷対象のアイコンのドラッグアンドドロップを行った後、どのファイルが印刷終了となってどのファイルが印刷されていないのか、といった印刷の進捗状況を把握しきれないこととなる。このような状況は、ユーザーの利便性に欠けることとなる。
【０００８】
特許文献１に開示の技術は、印刷対象のファイルを印刷する能力のある印刷装置で印刷を行うための新たな印刷実行用アイコンを作成する技術であるため、このような場合に対応することができない。
【０００９】
この発明の目的は、ユーザーの利便性を向上することができる表示制御装置を提供することである。
【課題を解決するための手段】
【００１０】
この発明の表示制御装置は、表示部にアイコンを表示する表示制御装置である。表示制御装置は、表示制御部と、判断部と、実行状況取得部とを備える。表示制御部は、表示部に、電子機器に保存されているファイルを示すファイル表示アイコン、および電子ファイルに対する処理の機能を示し、ファイル表示アイコンのドラッグアンドドロップによりファイルに対して処理を実行する処理実行アイコンを表示するよう制御する。判断部は、ファイル表示アイコンが処理実行アイコンにドラッグアンドドロップされたか否かを判断する。実行状況取得部は、判断部により、ファイル表示アイコンが処理実行アイコンにドラッグアンドドロップされたと判断されれば、ファイルに対して処理実行アイコンに表示された処理の実行状況の情報を取得する。表示制御部は、実行状況取得部により取得された処理の実行状況を表示部に表示するよう制御する。表示制御部は、実行状況取得部により処理の実行が開始した旨の情報を取得すれば、ファイル表示アイコンを、実行前の表示濃度よりも薄くして表示し、実行状況取得部により処理が終了した旨の情報を取得すれば、ファイル表示アイコンを、実行前の表示濃度と同じ表示濃度で表示するよう制御する。
【発明の効果】
【００１１】
このような表示制御装置によると、表示制御部により、処理の実行状況の情報が表示画面に表示されることとなる。そうすると、ユーザーは、ファイル表示アイコンを処理実行アイコンにドラッグアンドドロップした後に、表示画面から処理の実行状況を把握することができる。したがって、ユーザーの利便性を向上することができる。
【図面の簡単な説明】
【００１２】
【図１】この発明の一実施形態に係る表示制御装置を含む携帯端末装置の構成を示すブロック図である。
【図２】図１に示す携帯端末装置の外観を示す図である。
【図３】表示制御装置における代表的な処理の流れを示すフローチャートである。
【図４】ファイル表示アイコンをドラッグアンドドロップする場合の表示画面の一例を示す図である。
【図５】ファイル表示アイコンが非表示となった場合の表示画面の一例を示す図である。
【図６】ファイル表示アイコンを実行前の表示濃度よりも薄く表示した場合の表示画面の一例を示す図である。
【図７】ファイル表示アイコンのドラッグアンドドロップされた数、および処理の実行されていない数を処理実行アイコン上に表示した場合の処理実行アイコンの一例を示す図である。
【図８】現在処理を実行しているファイルに対応するファイル表示アイコンを、処理実行アイコンに重ねて表示した場合の処理実行アイコンの一例を示す図である。
【発明を実施するための形態】
【００１３】
以下、この発明の実施の形態について説明する。図１は、この発明の一実施形態に係る表示制御装置を含む携帯端末装置の構成を示すブロック図である。図２は、図１に示す携帯端末装置の外観を示す図である。
【００１４】
図１および図２を参照して、携帯端末装置１１は、携帯端末装置制御部１２と、表示部としての表示画面１３と、不揮発性メモリ１４と、テンキー１５と、機能選択キー１６と、表示制御装置２１とを備える。携帯端末装置１１は、外部の電子機器と通信可能に構成されている。すなわち、携帯端末装置１１は、通信可能なプリンターやＭＦＰ（Ｍｕｌｔｉｆｕｎｃｔｉｏｎａｌ  Ｐｒｉｎｔｅｒ）（いずれも図示せず）と接続し、携帯端末装置１１からの画像データの送信および印刷要求により、プリンターやＭＦＰを用いたファイルの印刷が可能である。また、携帯端末装置１１は、ＭＦＰ等に内蔵されるハードディスクに対してファイルのデータを送信して、ファイルの保存、いわゆるボックス保存が可能である。
【００１５】
携帯端末装置制御部１２は、携帯端末装置１１自身を制御する。不揮発性メモリ１４は、種々のデータを格納する。また、不揮発性メモリ１４には、種々のアプリケーションがインストールされている。ユーザーは、テンキー１５の押下により、０〜９までの数値やＡ〜Ｚまでのアルファベット等を入力することができる。また、ユーザーは、機能選択キー１６の所定の箇所を押下して、種々の操作を行うことができる。例えば、携帯端末装置１１における携帯電話機能を選択して、機能選択キー１６の押下により通話を開始したり、通話を終了させたりする。
【００１６】
表示画面１３は、携帯端末装置１１における情報の表示に際して、ユーザーへの出力のインターフェースとなる。すなわち、表示画面１３において、携帯端末装置１１における種々の情報を表示すると共に、ユーザーによる入力内容等を表示する。
【００１７】
また、表示画面１３は、タッチパネル型式であり、ユーザーから携帯端末装置１１に対する入力のインターフェースにもなる。すなわち、ユーザーは、表示画面１３に表示される内容を見て、指を使ってアイコンへのタップ等を行うことにより、携帯端末装置１１への実行の命令の入力等の操作を行う。
【００１８】
表示制御装置２１は、表示制御部２２を備える。表示制御部２２は、表示画面１３に、携帯端末装置１１に保存されているファイルを示すファイル表示アイコン３１、３２、３３、３４を表示するよう制御する。なお、ファイルとは、電子ファイルを指す。それぞれのファイル表示アイコン３１〜３４は、所定の間隔を開けて表示されている。ファイル表示アイコン３１〜３４をタップすることにより、それぞれのファイルに対応するアプリケーションを立ち上げることができる。
【００１９】
また、表示制御装置２１は、表示画面１３に、ファイルに対する処理の機能を示し、ファイル表示アイコン３１〜３４のドラッグアンドドロップによりファイルに対して処理を実行する処理実行アイコン３５、３６を表示するよう制御する。処理実行アイコン３５は、ファイル表示アイコン３１〜３４のドラッグアンドドロップにより、印刷の処理を実行するアイコンである。処理実行アイコン３６は、ファイル表示アイコン３１〜３４のドラッグアンドドロップにより、携帯端末装置１１と外部に接続された電子機器、具体的には、携帯端末装置１１と通信可能に接続されたＭＦＰの保存ボックスに対して保存の処理を実行するアイコンである。処理実行アイコン３５、３６についても、それぞれ所定の間隔を開けて表示されている。
【００２０】
ここで、表示制御装置２１は、判断部２３と、実行状況取得部２４とを備える。判断部２３は、ファイル表示アイコン３１〜３４が処理実行アイコン３５、３６にドラッグアンドドロップされたか否かを判断する。実行状況取得部２４は、判断部２３により、ファイル表示アイコン３１〜３４が処理実行アイコン３５、３６にドラッグアンドドロップされたと判断されれば、ファイルに対して処理実行アイコン３５、３６に表示された処理の実行状況の情報を取得する。
【００２１】
そして、表示制御部２２は、実行状況取得部２４により取得された処理の実行状況を表示画面１３上に表示するよう制御する。この場合、表示制御部２２は、実行状況取得部２４により処理の実行が開始した旨の情報を取得すれば、ファイル表示アイコン３１〜３４の表示を消去し、実行状況取得部２４により処理が終了した旨の情報を取得すれば、ファイル表示アイコン３１〜３４を再度表示するよう制御する。
【００２２】
次に、表示制御装置２１を含む携帯端末装置１１における印刷の処理について説明する。図３は、表示制御装置２１における代表的な処理の流れを示すフローチャートである。図３を参照して、携帯端末装置１１が立ち上げられると、表示制御装置２１における表示制御部２２は、全てのアイコン３１〜３６を表示画面１３に表示する（図３において、ステップＳ１１、以下、「ステップ」を省略する）。すなわち、表示制御部２２は、表示画面１３に、ファイル表示アイコン３１〜３４、および処理実行アイコン３５、３６を表示する。
【００２３】
その後、判断部２３は、ファイル表示アイコン３１〜３４が処理実行アイコン３５、３６にドラッグアンドドロップされたか否かを判断する（Ｓ１２）。この場合、ファイル表示アイコン３１〜３４のいずれかが、印刷を実行する処理実行アイコン３５、または保存を実行する処理実行アイコン３６のいずれかにドラッグアンドドロップされたか否かを判断する。
【００２４】
図４は、ファイル表示アイコン３１をドラッグアンドドロップする場合の表示画面１３の一例を示す図である。併せて図４を参照して、ユーザーが、指３７を用いて、ファイル表示アイコン３１を印刷実行アイコン３５にドラッグアンドドロップする。この場合、図４中の矢印に示す方向に沿ってドラッグアンドドロップされることとなる。そうすると、判断部２３は、ファイル表示アイコン３１が印刷処理を実行する処理実行アイコン３５にドラッグアンドドロップされたと判断する。
【００２５】
その後、実行状況取得部２４は、判断部２３により、ファイル表示アイコン３１〜３４が処理実行アイコン３５、３６にドラッグアンドドロップされたと判断されれば（Ｓ１２において、ＹＥＳ）、ファイルに対して処理実行アイコン３５に表示された処理の実行状況の情報を取得する。この場合、具体的には、実行状況取得部２４は、ドラッグアンドドロップを契機として、印刷の実行が開始された旨の情報を取得する。
【００２６】
そうすると、表示制御部２２は、ファイル表示アイコン３１を非表示とする（Ｓ１３）。すなわち、表示制御部２２は、図５に示すように、表示画面１３の中からファイル表示アイコン３１の表示を消去する。図５は、ファイル表示アイコン３１が非表示となった場合の表示画面１３の一例を示す図である。このようにして、表示制御部２２は、実行状況取得部２４により取得された処理の実行状況を表示画面１３上に表示するよう制御する。この場合、印刷を実行されているファイルを示すファイル表示アイコン３１が非表示となることで、印刷が実行されているという処理の実行状況を表示画面１３上に表示することとなる。
【００２７】
また、ここで、実際に印刷の実行を開始する（Ｓ１４）。具体的には、携帯端末装置１１に接続されているＭＦＰに画像データおよび印刷命令のデータを送信し、印刷の実行を開始する。
【００２８】
その後、プリンターからの印刷の終了の旨のデータを受信すれば（Ｓ１５において、ＹＥＳ）、実行状況取得部２４は、処理が終了した旨の情報を取得することとなる。表示制御部２２は、実行状況取得部２４により処理が終了した旨の情報を取得すれば、ファイル表示アイコン３１を再度表示するよう制御する（Ｓ１６）。すなわち、再び図２に示す表示画面１３が表れることとなる。
【００２９】
このような表示制御装置２１によると、表示制御部２２により、処理の実行状況の情報が表示画面１３に表示されることとなる。そうすると、ユーザーは、ファイル表示アイコン３１〜３４を処理実行アイコン３５、３６にドラッグアンドドロップした後に、表示画面１３から処理の実行状況を把握することができる。したがって、ユーザーの利便性を向上することができる。
【００３０】
この場合、印刷の処理が実行されている間は、ファイル表示アイコン３１が非表示となり、印刷の処理が終了した際に、ファイル表示アイコン３１が再度表示されることなるため、視覚的により明確にファイル表示アイコン３１に対する処理の実行状況を把握することができる。
【００３１】
具体的には、以下のような場合に、より具体的に処理の実行状況を把握することができる。ユーザーは、ファイル表示アイコン３１を処理実行アイコン３５にドラッグアンドドロップした後、すぐにファイル表示アイコン３２を処理実行アイコン３５にドラッグアンドドロップする。そうすると、双方のファイル表示アイコン３１、３２は、非表示となる。すなわち、表示画面１３において、ファイル表示アイコン３１、３２の双方は、消えた状態となっている。
【００３２】
ここで、最初にドラッグアンドドロップされたファイル表示アイコン３１に対応するファイルの印刷の方が先に進められ、先に印刷が終了する。そうすると、非表示となったファイル表示アイコン３１、３２のうち、印刷が終了したファイル表示アイコン３１の方が再度表示されることとなる。この段階では、ファイル表示アイコン３２に対応するファイルの印刷中または印刷をいまだ開始していない状況であり、少なくとも印刷は終了していない。したがって、ファイル表示アイコン３２の方は非表示のままである。この表示画面１３におけるファイル表示アイコン３１のみの再度の表示がなされたことにより、ファイル表示アイコン３１に対応するファイルの印刷が終了した状況を把握することができる。また、ファイル表示アイコン３２に対応するファイルの印刷が終了していない状況を把握することができる。
【００３３】
その後、ファイル表示アイコン３２に対応するファイルの印刷が終了すれば、ファイル表示アイコン３２が再度表示されることとなる。ユーザーは、この再度のファイル表示アイコン３２の表示を見て、ファイル表示アイコン３２に対応するファイルの印刷が終了した状況を把握することができる。
【００３４】
なお、表示制御部２２は、実行状況取得部２４により処理の実行が開始した旨の情報を取得すれば、ファイル表示アイコン３１〜３４を、実行前の表示濃度よりも薄くして表示し、実行状況取得部２４により処理が終了した旨の情報を取得すれば、ファイル表示アイコン３１〜３４を、実行前の表示濃度と同じ表示濃度で表示するよう制御することにしてもよい。
【００３５】
図６は、ファイル表示アイコン３１を実行前の表示濃度よりも薄く表示した場合の表示画面１３の一例を示す図である。併せて図６を参照して、図３のＳ１３におけるファイル表示アイコン３１の非表示の代わりに、ファイル表示アイコン３１を、実行前の表示濃度よりも薄くして表示するよう制御する。図６中の破線で示すファイル表示アイコン３８は、一応表示画面１３に表示されているものの、実行前、すなわち、図２に示すファイル表示アイコン３１の表示状態よりも薄く表示されている。そして、表示制御部２２は、実行状況取得部２４により処理が終了した旨の情報を取得すれば、ファイル表示アイコン３１を実行前の表示濃度と同じ表示濃度で表示するよう制御する。すなわち、再び図２に示す表示画面１３が表れることとなる。
【００３６】
こうすることにより、ユーザーは、破線で示されるファイル表示アイコン３８を視覚的に認識して、現在、印刷の処理が実行されている状況であることを容易に把握することができる。また、再び実行前の表示濃度と同じ表示濃度でファイル表示アイコン３１が表示されることを認識すれば、印刷が終了している旨を把握することができる。したがって、このような構成の表示制御装置２１においても、ユーザーの利便性を向上することができる。この場合、印刷が実行中である旨を薄いファイル表示アイコン３８の表示でユーザーが認識できるため、印刷中のファイル表示アイコン３８を表示画面１３において、常に印刷中である旨を認識することができる。
【００３７】
なお、図６に示す実施の形態において、表示制御部２２は、実行状況取得部２４により処理の実行が開始した旨の情報を取得すれば、ファイル表示アイコン３１を、実行前の表示濃度よりも薄くして表示し、実行状況取得部２４により取得した処理の終了までの割合に応じて、ファイル表示アイコン３１を、実行前の表示濃度に近づけて表示するよう制御するようにしてもよい。こうすることにより、印刷の処理が終了する前の進捗状況をより容易に把握することができるため、よりユーザーの利便性を向上することができる。
【００３８】
なお、表示制御部２２は、実行状況取得部２４により取得した処理実行アイコン３５、３６にドラッグアンドドロップされた数、および処理の実行されていない数を処理実行アイコン３５、３６上に表示するよう制御してもよい。また、表示制御部２２は、実行状況取得部２４により処理が全て終了したことを取得すれば、その旨を処理実行アイコン３５、３６上に表示するよう制御してもよい。
【００３９】
図７は、ファイル表示アイコンのドラッグアンドドロップされた数、および処理の実行されていない数を処理実行アイコン上に表示した場合の処理実行アイコンの一例を示す図である。図７の上側領域に示す図おいて、処理の途中を示し、図７の下側領域に示す図において、処理が終了した場合を示す。
【００４０】
図７を参照して、まず上側領域において、処理実行アイコン４１は、ファイル表示アイコンのドラッグアンドドロップにより、印刷を実行するアイコンである。ここで、処理実行アイコン４１の下側部分の上に重なるようにして、メッセージ４２が表示されている。このメッセージ４２には、「５（受け付け数）−２（処理数）」との表示がある。この受け付け数「５」については、印刷の処理の実行を受け付けた数、すなわち、処理実行アイコン４１にドラッグアンドドロップされたファイル表示アイコンの数を示す。また、処理数「２」については、印刷の処理が終了した数を示す。処理中に追加で処理実行アイコン４１にドラッグアンドドロップされた場合には、受け付け数の数が増加することとなる。
【００４１】
そして、図７に示す下側領域において、印刷の処理が進行するにつれ、表示される処理数は増加することとなる。そして、処理数イコール受け付け数、すなわち、受け付けた全てのファイルの印刷が終了すれば、図７中の下側領域で示すように、処理実行アイコン４３の下側の領域の上に重なるようにして、メッセージ４４が表示される。このメッセージ４４には、「完了」との表示がある。このメッセージ４４をユーザーが視認することにより、複数のファイル表示アイコンのドラッグアンドドロップにより印刷の実行を要求したファイルについて、全ての印刷を終了したことを把握することができる。したがって、よりユーザーの視覚に訴えた利便性の向上を図ることができる。
【００４２】
なお、この場合、所定の時間の経過後、メッセージ４４を消去することにしてもよい。こうすることにより、より進捗状況の把握を的確に行うことができる。また、メッセージ４４を表示せずに、印刷が終了すれば、メッセージ４２を消去して、何も表示しない構成としてもよい。また、処理実行アイコン４１にどのファイル表示アイコンもドラッグアンドドロップされていない場合、何も受け付けていないことを示す「未受け付け」といったメッセージを表示するようにしてもよい。なお、数値の代わりに、または数値に併せて、印刷の進捗状況を示すバーを表示することにしてもよい。
【００４３】
また、表示制御部２２は、実行状況取得部２４により取得した現在処理を実行しているファイルに対応するファイル表示アイコンを、処理実行アイコンに重ねて表示するよう制御してもよい。
【００４４】
図８は、現在処理を実行しているファイルに対応するファイル表示アイコンを、処理実行アイコンに重ねて表示した場合の処理実行アイコンの一例を示す図である。なお、時間が経過するに従い、図８の上側領域に示す図から図８の下側領域に示す図に移行するものとする。
【００４５】
図８を参照して、まず、上側領域において、処理実行アイコン５１には、メッセージ５２と、現在処理を実行しているファイルに対応するファイル表示アイコン５３が重ねて表示されている。メッセージ５２には、「５（受け付け数）−２（処理数）」との表示がある。そして、ファイル表示アイコン５３は、ファイルＸに対応するファイル表示アイコンである。すなわち、現在処理が実行されているファイルＸに対応するファイル表示アイコン５３が表示されている。こうすることにより、現在処理が実行中のファイル、具体的には、受け付け数５のうち、３番目に実行しているファイルは、ファイルＸであることをユーザーは容易に把握することができる。なお、ファイルＸに対応するタイトル名、すなわち、ファイル名を併せて表示するようにしてもよい。
【００４６】
その後、時間の経過に伴い、下側領域に移行する。下側領域において、処理実行アイコン５４には、メッセージ５５と、現在処理を実行しているファイルに対応するファイル表示アイコン５３が重ねて表示されている。メッセージ５５には、「５（受け付け数）−３（処理数）」との表示がある。そして、ファイル表示アイコン５６は、ファイルＰに対応するファイル表示アイコンである。すなわち、現在処理が実行されているファイルＰに対応するファイル表示アイコン５６が表示されている。
【００４７】
このように構成することにより、現在処理が実行中のファイル、具体的には、受け付け数５のうち、４番目に実行しているファイルは、ファイルＰであることを容易に把握することができる。したがって、現在処理を実行しているファイルを視覚的に容易に把握することができ、よりユーザーの利便性の向上を図ることができる。
【００４８】
なお、表示制御部２２は、判断部２３により、ファイル表示アイコンが処理実行アイコンにドラッグアンドドロップされたと判断されれば、処理実行アイコン上および元の位置の双方にファイル表示アイコンを表示し、元の位置に表示されたファイル表示アイコン上に、実行状況取得部２４により取得された処理の実行状況を表示するよう制御するよう構成してもよい。こうすることによっても、ユーザーの利便性を向上することができる。また、この場合、表示制御部２２は、処理実行アイコン上にも、実行状況取得部２４により取得された処理の実行状況を表示するよう制御することにしてもよい。
【００４９】
また、表示制御部２４は、判断部２３により、ファイル表示アイコンが処理実行アイコンにドラッグアンドドロップされたと判断されれば、ファイル表示アイコンと処理実行アイコンとを同じ色合いで表示するよう制御するよう構成してもよい。こうすることにより、より視覚による差を明確にして、ユーザーの利便性を向上することができる。
【００５０】
なお、表示制御部２２は、処理実行アイコン３５、３６等にカーソルを位置させた場合に、ファイル表示アイコン３１等を、処理実行アイコン３５、３６等に重ねて表示するよう制御してもよい。こうすることにより、ユーザーのニーズに沿った表示を行うことができる。
【００５１】
また、表示制御部２２は、処理にエラーが生じた場合、エラーに対する応答処理を選択させる画面を表示するよう制御してもよい。こうすることにより、処理中にエラーが生じた場合の適切な対処方法を、ユーザーが容易に把握することができる。したがって、よりユーザーの利便性の向上を図ることができる。
【００５２】
具体的には、エラーが生じた場合に、エラーが発生した旨を上記したメッセージ４４やメッセージ５５に表示する。そして、印刷の実行が継続できる場合には、継続しての実行を選択することができる表示画面１３を表示してもよい。また、エラーの内容として、設定した用紙がなくなった場合には、他の用紙にて印刷を行う旨の要求や、保留していた印刷の実行待ちのデータの消去を選択できるようにしてもよい。さらに、エラーが生じた場合には、表示制御装置２１は、ＭＦＰにおける印刷の際の設定を表示するドライバーの画面を表示するようにしてもよい。
【００５３】
なお、上記の実施の形態においては、表示制御装置２１を含む携帯端末装置１１の場合について説明したが、これに限らず、表示制御装置２１は、タブレットＰＣ等、電子機器の表示画面への表示の制御にも適用される。
【００５４】
また、上記の実施の形態においては、表示部として表示画面１３を適用することとしたが、これに限らず、表示部については、表示画面以外についても適用されるものである。また、上記の実施形態において、不揮発性メモリ１４については、例えば、記憶装置やハードディスクを適用することにしてもよい。
【００５５】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５６】
この発明に係る表示制御装置は、ユーザーの利便性の向上が要求される場合に、特に有効に利用される。
【符号の説明】
【００５７】
１１  携帯端末装置、１２  携帯端末装置制御部、１３  表示画面、１４  不揮発性メモリ、１５  テンキー、１６  機能選択キー、２１  表示制御装置、２２  表示制御部、２３  判断部、２４  実行状況取得部、３１，３２，３３，３４，３５，３６，３８，４１，４３，５１，５３，５４，５６  アイコン、３７  指、４２，４４，５２，５５  メッセージ。
【図１】
0006447562.tif 000002
【図２】
0006447562.tif 000003
【図３】
0006447562.tif 000004
【図４】
0006447562.tif 000005
【図５】
0006447562.tif 000006
【図６】
0006447562.tif 000007
【図７】
0006447562.tif 000008
【図８】
0006447562.tif 000009